(57)【要約】【課題】バッテリー駆動時の消費電力を低減し、バッテリーの持続時間を延ばして長時間記録が可能な撮像信号記録再生装置を提供する。【解決手段】電源の単位時間における平均消費電力を継続して計測する平均消費電力計測手段と、記録倍速毎に記録レーザー駆動電流を変化させて所定のテスト信号を記録すると共に記録レーザー駆動電流値に対応する平均消費電力を記憶し、記録したテスト信号を再生して各記録倍速毎の最適レーザー駆動電流値を得ると共に各記録倍速の最適レーザー駆動電流値に対応する平均消費電力を比較し、消費電力が最小を示す記録倍速を選択するテスト信号記録再生手段とを有し、選択された記録倍速で前記ビデオカメラからの情報信号を記録する。【選択図】図１
2007172725.tif 000002
【特許請求の範囲】
【請求項１】
複数の記録倍速で記録が可能な光ディスクを使用するビデオカメラ一体型の撮像信号記録再生装置において、
電源の単位時間における平均消費電力を継続して計測する平均消費電力計測手段と、
前記複数の記録倍速毎に記録レーザー駆動電流を変化させて所定のテスト信号を記録すると共に前記変化する記録レーザー駆動電流値に対応する前記平均消費電力を記憶し、前記記録したテスト信号を再生して各記録倍速毎の最適レーザー駆動電流値を得ると共に各記録倍速の最適レーザー駆動電流値に対応する前記記憶した平均消費電力を夫々比較し、消費電力が最小を示す記録倍速を選択するテスト信号記録再生手段と、
を有し、前記選択された記録倍速で前記ビデオカメラからの撮像信号を記録することを特徴とする撮像信号記録再生装置。
【請求項２】
複数の記録倍速で記録が可能な光ディスクを使用するビデオカメラ一体型の撮像信号記録再生装置において、
電源の単位時間における平均消費電力を継続して計測する平均消費電力計測手段と、
前記複数の記録倍速毎に記録レーザー駆動電流を変化させて所定のテスト信号を記録すると共に前記変化する記録レーザー駆動電流値に対応する前記平均消費電力を記憶し、前記記録したテスト信号を再生して各記録倍速毎の最適レーザー駆動電流値を得ると共に再生信号のジッター又はエラーレートの値を計測し、電源が内蔵バッテリーのときは各記録倍速の最適レーザー駆動電流値に対応する前記記憶した平均消費電力を夫々比較して消費電力が最小を示す記録倍速を選択し、外部電源のときは各記録倍速の最適レーザー駆動電流値における前記ジッター又はエラーレートの値を夫々比較して値が最小を示す記録倍速を選択するテスト信号記録再生手段と、
を有し、前記選択された記録倍速で前記ビデオカメラからの撮像信号を記録することを特徴とする撮像信号記録再生装置。
【発明の詳細な説明】
【技術分野】
【０００１】
本発明は、情報記録媒体に光ディスクを用いる撮像信号記録再生装置に係り、特に、バッテリー駆動時に消費電力を低減し、長時間記録が可能な撮像信号記録再生装置に関する。
【背景技術】
【０００２】
近年、従来の磁気テープに代わって光ディスクを情報記録媒体に用いるビデオカメラ装置が多数提案されている（例えば、下記特許文献１参照）。
一般に、光ディスクを用いるビデオカメラ装置は、機構が簡単になる点やアクセス性が向上するなど情報記録媒体を光ディスクに変えることで生まれる利点を活用している。
【０００３】
一方、光ディスクは、良く知られているように、回転速度制御が容易であることとデジタル信号で記録再生を行っていることなどから、記録や再生の速度を標準速度より高速で行うことが比較的簡単にできる。例えば、再生時に記録時の２倍や４倍速度で短時間に再生したり、記録時には記録信号の時間軸を１／４に圧縮し、１／４の時間で記録をすることなどが可能である。下記特許文献２は、再生時に光ディスクの回転速度を条件に応じて選択する技術を開示している。
【０００４】
しかしながら、光ディスクを情報記録媒体に用いるビデオカメラ装置では、被写体を撮像して記録再生するという目的から、記録再生は実時間、すなわち、予め定められた標準速度で行うことが一般的である。
【０００５】
【特許文献１】特開２００１−１１１８７７号公報
【特許文献２】特開平１０−２６１２５５号公報
【発明の開示】
【発明が解決しようとする課題】
【０００６】
通常、ビデオカメラ装置は屋外でも使えるように、電源はバッテリーによって駆動されるようになっているが、このようなビデオカメラ装置において、バッテリーの持続時間は重要な性能ファクターである。そこで、従来から、ビデオカメラ装置では、少しでもバッテリーの持続時間を延ばすために回路電流を削減したり消費電力の少ないモータを選択するなど随所に低消費電力設計がなされている。
しかしながら、従来の光ディスクを情報記録媒体に用いるビデオカメラ装置の場合、各種の低消費電力設計がなされていても、前記した光ディスクの持つ高速で記録再生が行えるという特性を利用して低消費電力化を図る方策は行われていないのでより一層の低消費電力化が成し得ていない欠点があった。
【０００７】
光ディスクの記録再生過程で電力を大きく消費するのは、光ディスクを高速回転させるスピンドルドライブ部分と、信号を記録するレーザー光を発光するレーザードライブ部分であるが、この両者の消費電力の和が最小になる組合わせで記録すると装置全体の消費電力が最小となる。
すなわち、光ディスクを高速回転させるとそのための消費電力は増加するが、逆にレーザー光は間歇的に発光すれば良くなるので消費電力は低減する関係にある。
そこで、本発明は、この点に着目してなされたものであり、光ディスクを使用するビデオカメラ装置で、記録時に光ディスクの回転速度を最適に選択することにより、消費電力を低減することが可能となり、これにより、バッテリーの持続時間を延ばし長時間記録が可能な撮像信号記録再生装置を提供することを目的とするものである。
【課題を解決するための手段】
【０００８】
本発明は、上記課題を解決する手段として以下の（１）（２）に記載の構成からなる。すなわち、
（１）複数の記録倍速で記録が可能な光ディスクを使用するビデオカメラ一体型の撮像信号記録再生装置において、
電源の単位時間における平均消費電力を継続して計測する平均消費電力計測手段と、
前記複数の記録倍速毎に記録レーザー駆動電流を変化させて所定のテスト信号を記録すると共に前記変化する記録レーザー駆動電流値に対応する前記平均消費電力を記憶し、前記記録したテスト信号を再生して各記録倍速毎の最適レーザー駆動電流値を得ると共に各記録倍速の最適レーザー駆動電流値に対応する前記記憶した平均消費電力を夫々比較し、消費電力が最小を示す記録倍速を選択するテスト信号記録再生手段と、
を有し、前記選択された記録倍速で前記ビデオカメラからの撮像信号を記録することを特徴とする撮像信号記録再生装置である。
（２）複数の記録倍速で記録が可能な光ディスクを使用するビデオカメラ一体型の撮像信号記録再生装置において、
電源の単位時間における平均消費電力を継続して計測する平均消費電力計測手段と、
前記複数の記録倍速毎に記録レーザー駆動電流を変化させて所定のテスト信号を記録すると共に前記変化する記録レーザー駆動電流値に対応する前記平均消費電力を記憶し、前記記録したテスト信号を再生して各記録倍速毎の最適レーザー駆動電流値を得ると共に再生信号のジッター又はエラーレートの値を計測し、電源が内蔵バッテリーのときは各記録倍速の最適レーザー駆動電流値に対応する前記記憶した平均消費電力を夫々比較して消費電力が最小を示す記録倍速を選択し、外部電源のときは各記録倍速の最適レーザー駆動電流値における前記ジッター又はエラーレートの値を夫々比較して値が最小を示す記録倍速を選択するテスト信号記録再生手段と、
を有し、前記選択された記録倍速で前記ビデオカメラからの撮像信号を記録することを特徴とする撮像信号記録再生装置である。
【発明の効果】
【０００９】
本発明によれば、請求項１に記載の格別な構成があるので、装填された光ディスクに応じて、最適なレーザー駆動電流と最小の消費電力の状態でビデオカメラ信号の記録が可能となる。これにより、バッテリーの持続時間を従来に比して長くできる効果がある。
また、請求項２に記載の格別な構成によれば、使用する電源の種類に応じて消費電力を優先する記録か、記録品質を優先する記録か選択できるので目的に応じた使い分けが可能となり極めて利便性の高い製品となるものである。
【発明を実施するための最良の形態】
【００１０】
以下、本発明の実施形態に係る撮像信号記録再生装置について、図面を参照して説明する。図１は、本発明に係る撮像信号記録再生装置の一実施例を示すブロック図である。図２は、記録速度とスピンドルドライバおよびレーザー駆動電流による消費電力の関係を示す図である。図３は、レーザーの駆動電流と出力パワーの関係を示す図である。図４は、記録速度と消費電力および記録品質の状態を示す図である。
【００１１】
まず、図１を用いて本発明に係る撮像信号記録再生装置の構成を説明する。
図１に示すように、本実施例の撮像信号記録再生装置は大別すると、光ディスク記録再生部１０と撮像部２３、および、符号１１ないし１４までの電源部分から構成されている。
光ディスク記録再生部１０には、内部に着脱可能な光ディスク１９、光ディスク１９を回転駆動するスピンドルドライバ２０、光ディスク１９にレーザー光を照射しピットを記録する光ピックアップ１５があり、光ピックアップ１５は、レーザードライバ１６により照射するレーザー光の強度がコントロールされる。
【００１２】
記録時には、撮像部２３から入力された映像音声信号は、光ディスク記録再生部１０の信号処理回路２１に入り、ここで所定の信号処理が施され、光ディスク記録信号となってレーザードライバ１６に供給される。
また、再生時には、光ディスク１９に照射されたレーザー光の反射光を光ピックアップ１５で受光し、ここで電気信号に変換してレーザードライバ１６内にあるアンプを経由し信号処理回路２１に入力する。信号処理回路２１では入力された再生信号を映像音声信号に復元する。またこのとき、信号処理回路２１に入力された再生信号はジッター／エラーレート計測部２２にも供給され、ここで再生信号のジッター又はエラーレートが計測される。計測されたジッター又はエラーレートは、システムコントローラ１７に入力される。
【００１３】
システムコントローラ１７はマイコンで構成されており、各回路にコントロール信号を供給して動作を制御する働きをする。また、システムコントローラ１７にはＯＰＣプログラム１８が接続されており、ここからＯＰＣ（Optimum write Power Control）動作の手順プログラムが供給され、その手順に従ったＯＰＣ動作を行う。なお、ＯＰＣ動作の詳細は後述する。
【００１４】
一方、電源部分では、内蔵バッテリー１１と外部電源入力部１２が電源検出切替え回路１３に接続されており、通常は内蔵バッテリー１１の電力が使用されるが、外部電源入力部１２に外部電源が供給されると電源検出切替え回路１３が検出し外部電源に切り替えて光ディスク記録再生部１０および撮像部２３に供給する。また、このとき、平均消費電力計測部１４で所定の単位時間あたりの平均消費電力を常に計測し、前記システムコントローラ１７に使用電源の種類と共に計測した平均消費電力の値を出力する。なお、平均消費電力の計測方法は、例えば、低抵抗を電源回路に挿入し、その抵抗の両端の電圧を測定することで算出することができる。
【００１５】
次に、本実施例の撮像信号記録再生装置の消費電力を低減する動作について説明する。まず、動作の概要を述べる。
本実施例の撮像信号記録再生装置は、標準記録速度に対して複数の記録倍速仕様を持つ光ディスクに対し、新たにこの光ディスクが装填されたときに、複数の記録倍速の各速度毎にレーザー駆動電流を順次可変してテスト信号を記録し、その部分の再生信号から各速度毎に最適なレーザー駆動電流を決定する、いわゆるＯＰＣ動作によるテスト記録再生を行い、このとき、前記レーザー駆動電流の可変と同時に装置全体の消費電力を逐次計測しておくことで、各速度毎の最適レーザー駆動電流における消費電力を比較し、最も消費電力が少ない記録倍速を選択し、この記録倍速で情報信号を記録するものである。
【００１６】
次に、上記動作について図１を用いて具体的に説明する。
まず、光ディスク１９が新たに装填されたときに、システムコントローラ１７は、上記したテスト記録再生を行う動作に入る。テスト記録は、システムコントローラ１７に接続されているＯＰＣプログラム１８の手順で行われる。
【００１７】
システムコントローラ１７は、まず１番目の記録速度を設定する。次いで内部に予め用意されているテスト信号をレーザードライバー１６に供給し、このテスト信号のレベルを順次可変する。レーザードライバー１６は、光ピックアップ１５にレーザー駆動電流を供給し、光ピックアップ１５で発光したレーザー光を光ディスク１９に照射してテスト信号を所定のテスト記録領域に順次記録する。なお、上記テスト信号は、記録速度が標準速度であればそのまま、２倍速であれば時間軸を１／２に、４倍速であれば１／４に短縮して記録する。したがって、信号の短縮によって生じた余剰期間はレーザー駆動電流を切り記録を停止する。
【００１８】
テスト信号の記録と同時に、可変するレーザー駆動電流値に対する装置の消費電力を平均消費電力計測部１４で逐次計測し、システムコントローラ１７はこの計測値を記憶しておく。なお、この消費電力は、レーザー駆動電流を供給している期間と供給を停止している期間を含む所定の単位時間の平均消費電力である。
【００１９】
予め設定されているレーザー駆動電流の可変範囲の記録が終了したら、システムコントローラ１７は、次いで２番目の記録速度に切り替えて再度同様なテスト記録と消費電力の計測を行う。
２番目の記録速度でのテスト記録が終了したら、次いで３番目の記録速度に切り替え、同様なテスト記録と消費電力の計測を繰り返す。
このようにして、光ディスク１９で記録可能な複数の記録倍速すべてについてテスト記録と消費電力の計測を行う。
【００２０】
次に、テスト記録の再生に移る。再生は、テスト記録した部分を標準速度で順次再生する。光ピックアップ１５で生成された再生信号は、レーザードライバ１６内にあるアンプを経由しシステムコントローラ１７に入力される。システムコントローラ１７では入力された再生信号を予め定められた評価法により評価して、各記録速度毎に最適な再生信号を選択する。そして、選択された最適な再生信号を記録したときの該当するレーザー駆動電流と、このレーザー駆動電流で記録したときの消費電力を読み出す。
なお、上記再生信号の評価法には、例えば、記録したテスト信号に含まれている長短２種類の幅のパルス信号の振幅比を算出して評価する方法や、２種類のパルスのセンター値のズレを計測して評価する方法などがある。このようなテスト記録を行って再生信号を評価し最適なレーザー駆動電流を求める動作をＯＰＣ動作と呼ぶ。
また、上記したように、本実施例では再生速度を標準速度で行っているが、これに限らず、例えば、すべて２倍速や４倍速で再生しても良い。また記録時と同じ速度に切替えて再生しても良い。
【００２１】
次いで、上記読み出された各記録速度毎の消費電力を比較して、最小の消費電力を選択し、このときの、記録速度とレーザー駆動電流値を、装填されている光ディスク１９の記録設定値とする。こうして設定された記録速度とレーザー駆動電流値で情報信号を記録することで、光ディスクには最適なレーザー駆動電流で記録できると共に、最小の消費電力の状態で使用できることになる。
【００２２】
ここで、図２、図３を用いて記録速度と消費電力の関係を説明する。
図２は記録速度とスピンドルドライバ、レーザー駆動電流による消費電力の関係を示した一例である。この特性はスピンドルモータや光ディスクの違いによって異なる。
前記したように、装置の消費電力はスピンドルドライブ部分とレーザードライブ部分の駆動状態によって左右される。図２に示すように、１倍速（標準速度）時と２倍速時の消費電力は、スピンドルドライブ部分は２倍速時には高速になるので大きくなり、レーザードライブ部分は、後述するように間歇駆動となるので平均消費電力としては小さくなる。この両者の合計消費電力は、変化の度合いによって異なるが、一般に１倍速より２倍速が小さくなる傾向にある。しかし、４倍速や８倍速あるいは１６倍速になるとスピンドルモータや光ディスクの特性の違い等により異なってくる。
【００２３】
図３はレーザードライブ部分の消費電力の変化を説明する図で、レーザーの駆動電流と出力パワーの関係を示す図である。
記録レーザー光のパワーは、記録速度が高くなるとほぼ速度に応じた高パワーが必要になるが、レーザーの駆動電流と出力パワーの関係は直線ではなく、図３に示すように非直線の関係である。すなわち、発光パワーをＰ１からＰ２のように２倍にしてもレーザー駆動電流はＩ１からＩ２の変化となり、２倍必要としない。
【００２４】
したがって、２倍速で記録をするときレーザー光のパワーは仮に２倍必要であっても、レーザー駆動電流は２倍以下で済み、また１／２期間の間歇駆動であるから、このときの平均消費電力は１倍速時よりも小さくなることになる。
この結果、スピンドルドライブ部分とレーザードライブ部分の消費電力の合計は１倍速より２倍速が小さくなる状態が起こる。
【００２５】
次に、電源に外部電源が接続されている状態の記録速度の選択について説明する。
この場合には、消費電力が最小になる記録速度ではなく、記録品質を優先した記録速度を選択する動作となる。
【００２６】
図１に戻り、前記テスト記録部分の再生時に、光ピックアップ１５で生成され、レーザードライバ１６内にあるアンプを経由して得られた再生信号は、信号処理回路２１を経由してジッター／エラーレート計測部２２にも供給されているが、ここで計測されたジッター又はエラーレートはシステムコントローラ１７に接続されている。システムコントローラ１７では、前記したように、各記録速度毎に再生信号を評価し最適な再生信号が得られるが、この時点のジッター又はエラーレートを記憶しておき、各記録速度毎の最適な再生信号が得られた時のジッター又はエラーレートを比較し、最良の値を示す記録速度を選択するようにする。
【００２７】
図４は、記録速度と消費電力および記録品質の状態を示す一例である。
この図では、消費電力は２倍速が少ないが、記録品質は２倍速よりも１倍速が良い状態を示している。
こうして選択された記録速度とレーザー駆動電流値を設定値として情報信号を記録することで、光ディスクには最適なレーザー駆動電流で記録できると共に、記録品質が最も良い状態で使用できることになる。
【００２８】
また、電源が内蔵バッテリー１１か外部電源入力部１２に接続された外部電源であるかを識別して切り替える動作をする電源検出切替え回路１３からの識別信号に基づき、システムコントローラ１７は、電源が内蔵バッテリーの場合には、消費電力が最小となる記録速度を選択し、外部電源の場合には、記録品質が最良となる記録速度を選択する。
この動作により、本実施例の撮像信号記録再生装置は、目的に応じた使い分けが可能となり便利になる。
【００２９】
以上詳述したように、本発明に係る撮像信号記録再生装置は、装填された光ディスクの特性を調べ、記録時の最適レーザー駆動電流が設定できると同時に、消費電力が最小となる記録倍速や記録品質が最良となる記録倍速が選択できるようになるので、バッテリー駆動時はより長時間記録が、外部電源駆動時は高品質記録が行えるようになる。
【００３０】
なお、本実施例では、テスト記録再生を行うタイミングを光ディスクが装填された時としているが、本発明はこれに限ることなく、例えば、情報の記録開始直前やあるいは使用者が任意の時点で開始できるようにしても良いことは明白である。また、消費電力を最小とする記録速度と記録品質を優先する記録速度の選択動作を、電源の種類を検出して自動的に切替えているが、これを使用者が選択できるようにしても良いことも明白である。更に、装置の仕様により、記録品質を優先する記録速度の選択動作および付随する回路部分を省略しても良い。
【図面の簡単な説明】
【００３１】
【図１】本発明に係る撮像信号記録再生装置の一実施例を示すブロック図である。
【図２】記録速度とスピンドルドライバおよびレーザー駆動電流による消費電力の関係を示す図である。
【図３】レーザーの駆動電流と出力パワーの関係を示す図である。
【図４】記録速度と消費電力および記録品質の状態を示す図である。
【符号の説明】
【００３２】
１０…光ディスク記録再生部
１１…内蔵バッテリー
１２…外部電源
１３…電源検出切替え回路
１４…平均消費電力計測部
１５…光ピックアップ
１６…レーザードライバ
１７…システムコントローラ
１８…ＯＰＣ（Optimum write Power Control）プログラム
１９…光ディスク
２０…スピンドルドライバ
２１…信号処理回路
２２…ジッター／エラーレート計測部
２２…撮像部
【図１】
2007172725.tif 000003
【図２】
2007172725.tif 000004
【図３】
2007172725.tif 000005
【図４】
2007172725.tif 000006